(57)【要約】【課題】  どのような不正行為が行われているかを容易に判断することができる遊技機の不正表示器を提供する。【解決手段】  遊技機の管理器３００は、遊技機１２の不正行為を検知して表示する管理装置であって、複数種類の不正行為を検知してそれぞれ不正行為検知信号を出力する検知手段２００と、不正行為検知信号に基づいて、検知された不正行為の種類を表す言葉を記述した文字を表示する表示部１とを組み合せ備える。【選択図】  図１
2007061293.tif 000002
【特許請求の範囲】
【請求項１】
遊技機の不正行為を検知して表示し管理に供する遊戯機の管理装置であって、複数種類の不正行為を検知してそれぞれ不正行為検知信号を出力する複数種類の検知器と、不正行為検知信号に基づいて、検知された不正行為の種類を表す言葉を記述した文字を表示する表示部とを、組み合せ備えたことを特徴とする遊技機の遊技機の管理装置。
【請求項２】
複数種類の検知器のうちの特定の検知器からの不正行為検知信号を選択し、選択した不正行為検知信号に基づく表示を停止させるリモコン器を組み合せ備えた請求項１記載の遊技機の管理装置。
【請求項３】
島などの管理単位に属する個々の遊技機からの遊戯者の呼び出し、確率変動、大当りといった遊戯補助のための通常の台情報、個々の遊技機で検出される不正行為に関する不正の台情報、管理者による管理信号を受信する受信部と、この受信部での受信に従ったランプ表示や文字表示を遊技機別に行って遊戯補助や不正措置などの管理に供する表示部とを有した、前記管理単位に対応した代表表示器と、この代表表示器で不正表示があったとき不正の確認、不正台、不正遊戯者の確認など必要な管理の基にその不正表示をリセットさせるリセット操作部と、このリセット操作部のリセット操作によって代表表示器に不正表示をリセットさせるリセット信号を送信する送信部とを有したリモコン器と、を組み合せ備えたことを特徴とする遊技機の管理装置。
【請求項４】
代表表示器の不正表示は、ランプ表示と文字表示である請求項３記載の遊技機の管理装置。
【請求項５】
代表表示器のランプ表示および文字表示は、広告、イベントなどの通常表示と、通常表示に代る不正表示とであり、不正情報の受信によって通常表示から不正表示に切り替える請求項４記載の遊戯器の管理装置。
【請求項６】
代表表示器は、不正情報の受信によってランプ表示のみを不正表示に切り替え、リモコン器からの切り替え信号の受信によって文字表示を不正表示に切り替え、リモコン器は、切り替え操作部を有し、その切り替え操作によって切り替え信号を代表表示器に送信する請求項４、５のいずれか１項記載の遊技機の管理装置。
【請求項７】
代表表示器は、それに入力される複数種類の不正の台情報につき個別の不正表示を行い、リモコン器は複数の不正表示が同時にある場合、その１つずつにつき必要な管理の基にその不正表示のリセット操作を行う請求項３〜６のいずれか１項記載の遊技機の管理装置。
【請求項８】
リモコン器は複数備え、それぞれ、リセット操作部の操作でリセット信号に併せ、自身のＩＤ情報を代表表示器に送信し、代表表示器は、自身の動作状態を上位管理のモニタに供するモニタ送信部を有し、リモコン器からのリセット信号の受信によって不正表示をリセットするのに併せ、リセットしたリセット情報に併せ、リセット信号を受信したリモコン器のＩＤ情報をモニタ送信部に出力して上位管理のモニタに供する請求項３〜７のいずれか１項記載の遊技機の管理装置。
【請求項９】
前記管理単位内の複数遊技機単位ごとに管轄して、その管轄下の各遊技機での通常の台情報や不正情報を受信して、代表表示器に送信する台子機を備えた請求項３〜８のいずれか１項に記載の遊技機の管理装置。
【発明の詳細な説明】
【技術分野】
【０００１】
本発明は、遊技機の遊戯の補助や不正行為に対する対応といった管理を行うための遊戯機の管理装置に関し、詳しくは、不正行為に対する管理が適正に行き届きやすく、かつ再発を防止しやすい遊技機の管理装置に関するものである。
【背景技術】
【０００２】
遊技場に設置されたパチンコ遊技機やスロットマシン機等に何らかの細工を施し、出玉やコイン等を不正に得る遊技者がいる。このような不正遊技者は例えば、パチンコ遊技機やスロットマシン機等に磁石や電波を作用させて、玉の進路やロータの回転を制御したり、コイン払い出し器等の動作を操作したり、あるいは扉を開けて不正な細工をするといったことを行う。
【０００３】
そこで、これらの不正を、遊技機の動作実態とコイン等の払い出しとの自動比較、判定、あるいは不正に対応する磁場や電波の磁気センサや電波センサ、扉開閉センサによる検出といったことによって自動検知し、対応することが既に行われている。
【０００４】
従来、そのような対応をするのに、遊技機島毎に複数の表示器を備え、監視員に報知する必要のある通常の台情報のほか、電圧、磁気、ドア開閉検知による不正に関する台情報を異なったランプおよび点灯周期の組み合せなどの違いによって表示するようにしたものが知られている（例えば、特許文献１参照。）。また、表示する変造カードによる不正行為の監視機能を備え、遊技機個々の遊戯カードに関する情報を取り扱う中継基盤からの信号などに基づいて、遊技機個々の外部に設けた情報表示装置に遊戯カード関連情報を表示するようにして、変造カードによる不正行為を摘発し、また、この不正行為が監視されていることを遊戯者に強くアピールすることが知られている（例えば、特許文献２参照。）。また、遊戯機ごとにデジタルカメラを組み込んだディスプレイを備え、リモコン送信機を操作して遊戯中の特定の事象や遊戯者のデジタルカメラで撮像した画像とともに、出玉数等の証拠となる遊戯用データをディスプレイに表示したり、扉開閉センサ、磁気・電波センサの検出信号に基づきデジタルカメラが取り込んだ画像を画像ＲＯＭに記憶するとともにディスプレイに表示して、不正行為を確認し、取り締まれるようにするものも知られている（例えば、特許文献３参照。）。
【特許文献１】特開平５−３１７５１４号公報
【特許文献１】特開平９−３１３７２５号公報
【特許文献２】特開２００４−３３２６８号公報
【発明の開示】
【発明が解決しようとする課題】
【０００５】
しかし、特許文献１に記載のものは、監視員などの現場管理者に報知する必要のある、例えば、遊戯者の呼び出し、確率変動、大当りといった遊戯補助のための通常の台情報と、個々の遊技機で検出される不正行為に関する不正の台情報とを、遊技機島に設ける複数の表示機によりランプ表示するものであるため、情報毎の報知状態の違いが分かり難く、現場管理者においても俄かに判然とせず対応が遅れたり、対応を誤ったりすることがときとしてある。また、このような関係から多くの種類を報知するには混乱が増すだけである。しかも、現場管理者はランプ報知に従い自発的に対応作業をすることになるが、その実態は上位管理者には不明である。特に、不正への対応は公平および社会正義、経営上大きな問題であるが、現場管理者がその全てに正しく対応しているかの管理ができない。しかも、現場管理者が複数居るような場合、どの現場管理者がどの不正に対応したかは分かりようがない。
【０００６】
特許文献２、３に記載のものは、いずれも、遊戯機個々において不正を報知するので、不正管理の実態が遊戯者に認知されやすく不正の防止にはなっても、遊戯者は現場管理者が対応するまでに不正行為を止められるので、不正行為者に対する指摘や取締りができず、遊戯者個々に繰り返し不正を試みられる可能性が残るし、検知できない不正の道を探られるなど再発を防止できない。しかも、現場管理者が対応できたとしても不正報知の都度行うことになって、１回の不正報知でそれに誤りがあるかどうかの判定なしに遊戯者を取締ってしまい、客が納得しないなど過剰管理の感を客に与えてしまうサービス面での問題がある。特許文献３に記載のものでは、不正があったときに取り込んだ画像を記憶しておくので、不正が所定回数繰り返されたと判断した場合に取締ることはできるが、現場管理者が直接行えないので、間に合わないこともある。また、現場管理者の作業を上位管理者が管理できないのは特許文献２、３に記載のものも特許文献１に記載の場合と同様である。
【０００７】
本発明の目的は、上記従来例の問題点に鑑み、不正行為に対する管理が適正に行き届きやすく、かつ再発を防止しやすい遊技機の管理装置を提供することにある。
【課題を解決するための手段】
【０００８】
本発明に係る遊技機の管理装置は、遊技機の不正行為を検知して表示する管理装置であって、複数種類の不正行為を検知してそれぞれ不正行為検知信号を出力する複数種類の検知器と、不正行為検知信号に基づいて、検知された不正行為の種類を表す言葉を記述した文字を表示する表示部とを組み合せ備えたことを１つの特徴とする。
【０００９】
この構成によれば、検知された不正行為の種類を表す言葉を記述した文字が不正行為検知信号に基づいて表示されるので、不正行為の種類を表す記号を表示する場合のように、表示された記号により表される不正行為の種類を、表示を見る人が記憶している必要がなく、不正行為の種類を容易に認識することができる。
【００１０】
複数種類の検知器のうちの特定の検知器からの不正行為検知信号を選択し、選択した不正行為検知信号に基づく表示を停止させるリモコン器を設けると好適である。検知器が故障したときに、その故障した検知器から出力された不正行為検知信号に基づく表示を停止させることができる。
【００１１】
本発明の遊技機の管理装置は、また、島などの管理単位に属する個々の遊技機からの遊戯者の呼び出し、確率変動、大当りといった遊戯補助のための通常の台情報、個々の遊技機で検出される不正行為に関する不正の台情報、管理者による管理信号を受信する受信部と、この受信部での受信に従ったランプ表示や文字表示を遊技機別に行って遊戯補助や不正措置などの管理に供する表示部とを有した、前記管理単位に対応した代表表示器と、この代表表示器で不正表示があったとき不正の確認、不正台、不正遊戯者の確認など必要な管理の基にその不正表示をリセットさせるリセット操作部と、このリセット操作部のリセット操作によって代表表示器に不正表示をリセットさせるリセット信号を送信する送信部とを有したリモコン器と、を組み合せ備えたことを別の特徴としている。
【００１２】
このような構成によれば、島などの管理単位に属する個々の遊技機の通常の台情報、および検出される不正行為に関する不正の台情報を、前記管理単位に属する代表表示器に表示して現場管理者に対応させるので、個々の遊技機の遊戯者に察知されないで現場管理者の対応を促すことができる。従って、遊戯者が不正を検出されていることを知らずに不正を続け、あるいは繰り返す確率が高く、現場管理者は時間を掛けてその不正の種類を判断するとともに不正の事実と遊戯者を遊戯者に察知されずに確認することができ、不正の判断を誤ることはない。この結果、現場管理者は即座に不正遊戯者に対応しても過剰にはならず、また不正遊戯者に納得されやすい。また、現場管理者は不正遊戯者に即座に対応せずに、リモコン器のリセット部を操作して代表表示器の不正表示をリセットし、次の不正の検出および表示が行えるようにすることで、不正を検知されていることを知らない遊戯者が不正を続け、あるいは重ねることに対応することができ、不正が所定回数行われたときに初めて不正遊戯者により無理なく対応するようにもできる。
【００１３】
代表表示器の不正表示は、ランプ表示と文字表示である、さらなる構成では、
表示がランプ表示と文字表示であると、現場管理者にとってランプ表示は遠くからでも視認しやすく、しかも、表示内容の具体的な種類は別として、通常の台情報の表示か不正の台情報の表示かの区別はつきやすいし、代表表示器のもとに移動すれば文字表示によって表示の種類が明確になるので、対応しやすい。
【００１４】
代表表示器のランプ表示および文字表示は、広告、イベントなどの通常表示と、通常表示に代る不正表示とであり、不正情報の受信によって通常表示から不正表示に切り替える、さらなる構成では、
通常の台情報と不正の台情報とを同時に表示しないので、表示の区別に混乱が生じにくいし、不正行為が検出されるとそれを優先して通常の台情報の表示から不正の台情報の表示に切り替わるので、現場管理者は発見しやすく、かつ迅速に対応することができる。
【００１５】
代表表示器は、不正情報の受信によってランプ表示のみを不正表示に切り替え、リモコン器からの切り替え信号の受信によって文字表示を不正表示に切り替え、リモコン器は、切り替え操作部を有し、その切り替え操作によって切り替え信号を代表表示器に送信する、さらなる構成では、
不正行為が検出されても初期はランプ表示するだけであるので、その意味するところを客に察知されにくく、代表表示器の元に移動してリモコン器のリモート操作部を操作することにより、不正の台情報についてのランプ表示から文字表示に切り替え、その種類だけでなく、台番号、発生時刻などを具体的に表示して必要な項目を確認しながら、客や遊戯者に対しシークレットに不正行為の管理ができる。
【００１６】
それには、代表表示器は、それに入力される複数種類の不正の台情報につき個別の不正表示を行い、リモコン器は複数の不正表示が同時にある場合、その１つずつにつき必要な管理の基にその不正表示のリセット操作を行う、構成とすることができ、
これにより、個々の遊技機での不正が重なっても個別に対応することができる。
【００１７】
リモコン器は複数備え、それぞれ、リセット操作部の操作でリセット信号に併せ、自身のＩＤ情報を代表表示器に送信し、代表表示器は、自身の動作状態を上位管理のモニタに供するモニタ送信部を有し、リモコン器からのリセット信号の受信によって不正表示をリセットするのに併せ、リセットしたリセット情報に併せ、リセット信号を受信したリモコン器のＩＤ情報をモニタ送信部に出力して上位管理のモニタに供する、さらなる構成では、
複数の現場管理者が特定の代表表示器での不正の台情報に関する表示の基に対応し、その代表表示器での不正の台情報に関する不正表示をリモコン器からリセットする操作をした場合、その操作したリモコン器のＩＤ情報が代表表示器にもたらされ、代表表示器はそれをモニタ送信部から出力して上位管理者の管理に供するので、上位管理者は代表表示器を通じた不正行為の発生状況に併せ、その不正行為に対応した現場管理者および現場管理者のした対応状況を管理することができる。
【００１８】
前記管理単位内の複数の遊技機ごとに管轄して、その管轄下の各遊技機での通常の台情報や不正情報を受信して、代表表示器に送信する台子機を備えた、さらなる構成では、
台子機は管理単位内の遊技機の前記複数分の１の数にて、管理単位内の各遊技機に必要な代表表示器との信号の授受ができる。
【発明の効果】
【００１９】
本発明の１つの特徴によれば、どのような不正行為が行われているかを容易かつ迅速に判断して適正に対応でき、不正に対する管理が行き届きやすいし、その分だけ再発も防止しやすい。
【００２０】
また、本発明の別の特徴によれば、管理単位に属する代表表示器での、遊戯者に察知されず遊戯者が不正を続け、繰り返す環境を保っての不正表示を基に、現場管理者は十分な時間を費やして不正の種類の判断、不正の事実と遊戯者の確認を適正に行えるので、不正者に即座に対応しても過剰にならず納得されやすいし、現場管理者は代表表示器の不正表示をリモコン操作でリセットして、不正検知を知らない遊戯者による同一遊技機での次の不正検出と表示を待ち、所定回数に達してからより無理なくより再発されないように不正遊戯者に対応することができる。
【００２１】
しかも、このような現場管理者による管理対応を、代表表示器へのリモコン操作を上位管理者のモニタに供して、現場管理者による管理対応についても管理することができる。
【発明を実施するための最良の形態】
【００２２】
図１は本実施の形態に係るサブ管理器１００の構成を模式的に示すブロック図であり、図２は管理装置４００における、本体部としてのメイン制御回路１６を搭載したメイン基板１１６を有した代表表示器８と、サブ基板１０を有した台子機６１との組合せ構成を示している。図２は代表表示器８の外観を示す斜視図であり、島などの所定の管理単位に属する遊技機１２ごとに設ける。図３（ａ）はその正面図であり、（ｂ）はその側面図である。サブ基板１０は管理単位内の遊技機１２における単位数に対応した台子機６１に設けられ、例えば２台の遊技機１２に対応して２個のサブ制御回路１１を有している。メイン基板１１６上のメイン制御回路１６は、上位管理者用の例えばホールコンピュータ１４とインターフェイス４０を介して通じ、２台の遊技機１２単位にそれらに対応したサブ制御回路１１と協働しながら、島などの所定の管理単位に属する全ての遊戯機１２における遊戯者の呼び出し、確率変動、大当り、各種異常といった遊戯補助のための通常の台情報、検出された不正行為に関する不正の台情報、現場管理者に対する上位管理者からの管理信号を処理し、代表表示器８をコントロールする。
【００２３】
サブ管理器１００は、不正検出のために電波センサーで構成された検知手段２００を組み合せ備える。
【００２４】
この検知器２００は、遊技機１２のローターの回転を電波により制御する不正行為を検知して不正行為検知信号を入力ポート２０に出力する検知器２ａ、磁気センサーで構成され、遊技機１２の玉の進路を磁石により制御する不正行為を検知して不正行為検知信号を入力ポート２０に出力する検知器２ｂ、コインを不正に払い出す不正行為を検知して不正行為検知信号を入力ポート２０に出力する検知器２ｃ、あるいはコインセレクタでのコイン投入経路での不正を検知し、不正行為検知信号を入力ポート２０に出力する検知器２ｄ、その他、ドア開きやロック開錠などの不正を検知して入力ポート２０にそれぞれに対応した不正行為検知信号を入力する各種の検知器が設けられている。各検知器２ａ〜２ｄ・・は、また故障が生じたときにはそれぞれに対応する故障信号を入力ポート２０にそれぞれ出力する。
【００２５】
代表表示器８は、それ自体でのディスプレイの制御に併せ、上位管理者用のホールコンピュータ１４とインターフェース連携した管理動作の制御を行うメイン制御回路１６を備える。メイン制御回路１６は、１つの代表表示器８で代表して示しているように、サブ制御回路１１からシリアルポート２１を通じ入力する各種の不正行為検知信号に基づいて、検知された不正行為の種類を表す言葉を記述した文字を表示部１に表示する。またメイン制御回路１６は、リモコン器１３からシリアルポート２１を通じてサブ制御回路１１に入力する。
【００２６】
代表表示器８は、その主な機能として不正行為検知信号のいずれかが入力されるとマゼンタ色で点滅する表示ランプ２８と、リモコン器１３からメイン制御回路１６に受付信号が送信されると緑色で点灯する表示ランプ２９と、遊技機１２のドアが開いていることを示すドア開信号がリモコン器１３からメイン制御回路１６に入力されるとシアン色で点灯する表示ランプ３０とを有する。代表表示器８には、各検知器２ａ〜２ｄ・・からの故障信号のいずれかが入力されると点滅する表示ランプ３１が必要数設けられる。代表表示器８は、スピーカ９を有する。
【００２７】
サブ制御回路１１は、上位管理者用の上位管理装置としてのノートパソコンなどであるホールコンピュータ１４に代表表示器１００を介して接続され、呼び出しランプなどに関連する押しボタンまたはＰＨＣ基板接続された出力ポート２４と、ワイヤロック装置２６に接続された出力ポート２５とを有する。ホールコンピュータ１４にはカメラ１５が接続される。
【００２８】
このように構成されたサブ管理器１００の動作を説明する。通常状態では例えば「不正行為監視中」、「違法遊技監視中」または「セキュリティー監視中」という文字が表示部１に表示され、表示ランプ２８、２９、３０及び３１は消灯している。
【００２９】
そして検出手段２００から何らかの不正行為検知信号が入力されると、例えば、代表して示すと、検知器２ａから入力ポート２０に不正行為検知信号が入力されると、サブ制御回路１１はその不正行為検知信号をメイン制御回路１６に送信し、メイン制御回路１６は、例えば「電波不正行為発生！！」という文字を不正行為検知信号に応じて表示部１に表示する。検知器２ｂから不正行為検知信号が入力ポート２０に入力されると、サブ制御回路１１は不正行為検知信号をメイン制御回路１６に送信し、メイン制御回路１６は「磁石不正行為発生！！」という文字を不正行為検知信号に応じて表示部１に表示する。検知器２ｃから不正行為検知信号が入力ポート２０に入力されると、メイン制御回路１６は「コイン不正払い出し行為発生！！」という文字を不正行為検知信号に応じて表示部１に表示する。このように、入力する不正行為検知信号の種類に応じてメイン制御回路１６は表示部１に対応する表示を行う。
【００３０】
具体的には、検知器２ａ〜２ｃ・・による不正行為検知信号のいずれかが入力ポート２０に入力されると、メイン制御回路１６は表示ランプ２８をマゼンタ色で点滅させてスピーカ９から警報音を出力させ、サブ制御回路１１は、その信号を代表表示器８、つまりメイン制御回路１６を通じホールコンピュータ１４に出力し、呼び出しランプ２７をオンする信号を出力ポート２４から出力する。
【００３１】
リモコン器１３から受付信号がメイン制御回路１６に送信されると、メイン制御回路１６は受付信号をサブ制御回路１１に送信し、表示ランプ２９は緑色に点灯する。
【００３２】
リモコン器１３から確認信号が送信されると、メイン制御回路１６は表示ランプ２８のマゼンタ色の点滅を黄色の点滅に変える。
【００３３】
検知手段２００での、つまりそれが有する検知器２ａ〜２ｄ、・・からの故障信号のいずれかが入力ポート２０に入力されると、サブ制御回路１１はそれに対応する故障 信号をメイン制御回路１６に送信し、ディスプレイ基板１６は表示ランプ２８、２９及び３０を消灯させて表示ランプ３１を点滅させる。
【００３４】
不正行為検知信号のいずれかを選択するための選択信号がリモコン器１３から送信されると、メイン制御回路１６は、選択信号により選択された不正行為検知信号のいずれかに基づく表示部１及び表示ランプ２８の表示を停止する。このため例えば、磁気センサーの検知器２ｂが故障したときは、不正行為検知信号の選択信号をリモコン器１３から送信すれば、不正行為検知信号が検知器２ｂから入力ポート２０に出力されても、「磁石不正行為発生！！」という文字が表示部１に表示されることはない。従って、遊技者が不法行為をすることなく遊んでいることがカメラ１５により認識できるにもかかわらず、「磁石不正行為発生！！」という不正行為の種類を表す文字が表示部１に表示されるときは、検知器３が故障したと判断して、リモコン器１３で不正行為検知信号６を選択することにより「磁石不正行為発生！！」の表示を停止させることができる。
【００３５】
遊技機１２のドアを開くためのドア開信号がリモコン器１３から送信されると、メイン制御回路１６は表示ランプ２９をシアン色に点灯させてドア開信号をサブ制御回路１１に出力し、サブ制御回路１１はドアのワイヤロックを解除する信号を出力ポート２５からワイヤロック装置２６に出力し、ワイヤロックが解除される。
【００３６】
なお、電波センサー、磁気センサー、不正払出しセンサおよびコイン投入経路での不正センサによりそれぞれ検知器２ａ〜２ｄを構成する例を示したが、本発明はこれに限定されないのは勿論である。検知器は、遊技機１２のカバー扉を不正に開錠する不正行為（ドアオープン）を検知する開閉検知スイッチにより構成してもよい。また、遊技中に大当たりの確率が一番高い設定に変え、遊技終了後に設定を戻す不正行為を検知する設定監視装置により構成してもよい。さらに検知器は、コイン投入口からコインセレクタのセンサーまで到達する形状のセルの先端に赤外線ダイオード等を付けて明滅させることによって、遊技機のセレクターに使用されているフォトセンサーを誤動作させ、コインを不正に奪取する不正行為を検知する検知器により構成してもよい。さらに、メトロノームの機能を持つ携帯式リズム発生器いわゆる体感器を用いたパチンコ球の単発打ちにより遊技機１２を攻略する不正行為を検知する攻略防止器により構成してもよい。
【００３７】
以上は、不正行為に対する主として表示系について説明したが、リモコン器１３によって遊戯補助や不正行為への対応などの管理をする現場管理について説明すると、リモコン器１３は、図４（ａ）に示すようなメニューボタン４１、オールリセットボタン４２、ドア開ボタン４３、電波不正ボタン４４、各種設定ボタン４５、コインセレクタ不正ボタン４６、ホッパー不正ボタン４７、食事ボタン４８、イベントボタン４９、ドアロック開錠ボタン５０、履歴ボタン５１、リセット／停止ボタン５２および空きボタン５３、５４を有している。これらのボタンの操作はリセット操作によってリセットされ、ボタンの操作によって開始した動作状態は停止操作で停止する。
【００３８】
ドアボタン４３の操作によっては代表表示器８を経由してワイヤーロック出力を所定時間例えば１５秒継続させる。各種不正ボタン４４、４６、４７の操作によっては不正の種類が何であるかを表示部１で行い、また、不正文字表示のリセットを行うときの選択が既述の各ボタンと、空きボタンを含めて行える。食事ボタン４８の操作によっては食事開始の表示を代表表示器８によって、あるいは代表表示器８、台子機６１を通じて対応する遊戯機１２の台表示器３００へ個々に行える。食事終了は停止操作によって行え前記食事開始の表示をリセットできる。イベントオンボタン４９によっては各種イベントをオンできる。イベントオフはその停止操作によってオフすることができる。不正ボタン操作時のリセット操作はそれに関する表示の停止に併せ、不正確認、措置終了の信号を代表表示器８を通じて上位管理者、つまりホールコンピュータ１４での上位管理者によるモニタに供する。
【００３９】
このように、本実施の形態の管理装置は、既述した代表表示器８およびリモコン器１３を組合わせ備えることで、島などの管理単位に属する個々の遊技機１２の通常の台情報、および検出される不正行為に関する不正の台情報を、前記管理単位に属する代表表示器８に表示して現場管理者に対応させるので、個々の遊技機１２の遊戯者に察知されないで現場管理者の対応を促すことができる。従って、遊戯者が不正を検出されていることを知らずに不正を続け、あるいは繰り返す確率が高く、現場管理者は時間を掛けてその不正の種類を判断するとともに不正の事実と遊戯者を遊戯者に察知されずに確認することができ、不正の判断を誤ることはない。この時点で現場管理者が即座に不正遊戯者に対応しても過剰にはならず、また不正遊戯者に納得されやすい。また、現場管理者は不正遊戯者に即座に対応せずに、リモコン器１３のリセット操作で代表表示器８の不正表示をリセットし、次の不正の検出および表示が行えるようにすることで、不正を検知されていることを知らない遊戯者が不正を続け、あるいは重ねることに対応することができ、不正が所定回数行われたときに初めて不正遊戯者により無理なく、かつ再発阻止の上で効果的に対応するようにもできる。
【００４０】
このように、管理単位に属する代表表示器８での、遊戯者に察知されず遊戯者が不正を続け、繰り返す環境を保っての不正表示を基に、現場管理者は十分な時間を費やして不正の種類の判断、不正の事実と遊戯者の確認を適性に行えるので、不正者に即座に対応しても過剰にならず納得されやすいし、現場管理者は代表表示器８の不正表示をリモコン操作でリセットして、不正検知を知らない遊戯者による同一遊技機での次の不正検出と表示を待ち、所定回数に達してからより無理なくより再発されないように不正遊戯者に対応することができる。
【００４１】
しかも、このような現場管理者による管理対応を、既述した代表表示器８へのリモコン操作を代表表示器８を通じて上位管理者のモニタに供して、現場管理者による管理対応についても管理することができる。
【００４２】
ここで、代表表示器８の不正表示は、ランプ表示と文字表示であることにより、現場管理者にとってランプ表示は遠くからでも視認しやすく、しかも、表示内容の具体的な種類は別として、通常の台情報の表示か不正の台情報の表示かの区別はつきやすいし、代表表示器８のもとに移動すれば文字表示によって表示の種類が明確になるので、対応しやすい利点がある。また、代表表示器８のランプ表示および文字表示は、広告、イベントなどの通常表示と、通常表示に代る不正表示とであり、不正情報の受信によって通常表示から不正表示に切り替えるようにすることで、通常の台情報と不正の台情報とを同時に表示しないので、表示の区別に混乱が生じにくいし、不正行為が検出されるとそれを優先して通常の台情報の表示から不正の台情報の表示に切り替えるので、現場管理者は不正を発見しやすく、かつ迅速に対応することができる。
【００４３】
一方、例外として、代表表示器８は、不正情報の受信によってランプ表示のみを不正表示に切り替え、リモコン器１３からの切り替え信号を受信してから、文字表示を図５（ａ）に示すような通常表示から図５（ｂ）に示すような不正表示に切り替え、リモコン器１３は図示しない切り替え操作部を有し、その切り替え操作によって切り替え信号を代表表示器８に送信するようにすると、不正行為が検出されても初期はランプ表示するだけであるので、その意味するところを客に察知されにくく、代表表示器８の元に移動してリモコン器１３のリモート操作部を操作することにより、不正の台情報についてのランプ表示から図５（ｂ）に示す文字表示に切り替え、その種類だけでなく、図５（ｂ）に示すように台番号、発生時刻などを具体的に表示して必要な項目を確認しながら、客や遊戯者に対しシークレットに不正行為の現場管理や上位管理ができる。
【産業上の利用可能性】
【００４４】
本発明は、遊技機の不正行為を検知して表示し管理に供する管理装置に適用することができる。
【図面の簡単な説明】
【００４５】
【図１】本実施の形態に係る管理装置の構成を示すブロック図である。
【図２】本実施の形態に係る管理装置の代表表示器の外観を示す斜視図である。
【図３】（ａ）は本実施の形態に係る管理装置の代表表示器の正面図であり、（ｂ）はその側面図である。
【図４】（ａ）は本実施の形態に係る管理装置のリモコン器の正面図であり、（ｂ）はリモコン器のリモコン操作部とそれに対応したリモコン操作機能例を示す説明図である。
【図５】（ａ）は表示部での通常表示状態を示す例示図であり、（ｂ）は不正表示状態を示す例示図である。
【符号の説明】
【００４６】
１  表示部
２ａ〜２ｄ、・・検知器
８  代表表示器
９  スピーカ
１０  メイン基板
１１  サブ制御回路
１２  遊技機
１３  リモコン器
１４  ホールコンピュータ
１６  メイン制御回路
５３  終了操作部
６１  台子機
１００  サブ管理装置
２００  検知手段
３００  表示器
４００  管理装置
【図１】
2007061293.tif 000003
【図２】
2007061293.tif 000004
【図３】
2007061293.tif 000005
【図４】
2007061293.tif 000006
【図５】
2007061293.tif 000007